(57)【要約】【課題】冷蔵庫の内部で冷却する物品の冷却の完了時を管理しやすい冷蔵庫を提供すること。【解決手段】冷蔵庫１００は、冷蔵庫１００内に収容した物品９を所定の温度まで冷却する冷却時間を管理可能であり、前面が開放された物品収容部１１２及び物品収容部１１２の前面に配置される扉１１３を有する冷蔵庫本体１０１と、物品収容部１１２に配置されると共に、前後方向に引き出し及び押し入れ可能な収容容器８０と、収容容器８０の前面部８２の一部が奥側に凹んで形成された取手部８５と、前面部８２に配置され物品９の冷却を開始した時間及び冷却の完了する時間を示す表示部６と、収容容器８０の底面部８１の下部に挿し込み可能な板状の挿し込み部７１、及び挿し込み部７１の端部から屈曲して延びると共に該挿し込み部７１を挿し込んだ状態で取手部８５の前側を覆う取手カバー部７２を有する取出規制部材７と、を備える。【選択図】図１
2015222160.tif 000002
【特許請求の範囲】
【請求項１】
冷蔵庫内に収容した物品を所定の温度まで冷却する冷却時間を管理できる冷蔵庫であって、
前面が開放された物品収容部及び該物品収容部の前面に配置される扉を有する冷蔵庫本体と、
前記物品収容部に配置されると共に、前後方向に引き出し及び押し入れ可能な収容容器と、
前記収容容器の前面部の一部が奥側に凹んで形成された取手部と、
前記前面部に配置され前記物品の冷却を開始した時間及び冷却の完了する時間を示す表示部と、
前記収容容器の底面部の下部に挿し込み可能な板状の挿し込み部、及び該挿し込み部の端部から屈曲して延びると共に該挿し込み部を挿し込んだ状態で前記取手部の前側を覆う取手カバー部を有する取出規制部材と、を備える冷蔵庫。
【請求項２】
前記取手カバー部は、前記取手部の一部が露出するように切り欠かれたカバー部切欠きを有する請求項１に記載の冷蔵庫。
【請求項３】
冷蔵庫の内部に配置され、該冷蔵庫で冷却される物品の冷却状態を管理する冷却管理時間装置であって、
前記物品を収容する収容容器と、
前記収容容器の前面部の一部が奥側に凹んで形成された取手部と、
前記前面部に配置され前記物品の冷却を開始した時間及び冷却の完了する時間を示す表示部と、
前記収容容器の底面部の下部に挿し込み可能な板状の挿し込み部、及び該挿し込み部の端部から屈曲して延びると共に該挿し込み部を挿し込んだ状態で前記取手部の前側を覆う取手カバー部を有する取出規制部材と、を備える冷却時間管理装置。
【請求項４】
冷蔵庫に収容した物品を所定の温度まで冷却する時間を管理する冷却時間の管理方法であって、
前記物品を、前面部の一部が奥側に凹んで形成された取手部及び前記前面部に配置され、冷却を開始した冷却開始時間及び冷却が完了する冷却完了時間を示す表示部を有する収容容器に収容する収容工程と、
前記冷蔵庫の内部に形成され、前記収容容器を収容可能な物品収容部に、前記物品を収容した状態の前記収容容器を押し入れる押し入れ工程と、
前記表示部を操作して、前記収容容器の前記前面部に冷却時間を開始する冷却開始時間及び冷却時間の完了する冷却完了時間を表示する表示工程と、
挿し込み部及び該挿し込み部の端部から屈曲して延びる取手カバー部を有する取出規制部材を用いて、前記収容容器の底面部と前記物品収容部との間に前記挿し込み部を挿し込み、前記挿し込み部を挿し込んだ状態で、前記取手カバー部により前記取手部の前側を覆う取出規制工程と、を有する冷却時間の管理方法。
【発明の詳細な説明】
【技術分野】
【０００１】
本発明は、冷蔵庫に関する。具体的には、冷蔵庫に収容した飲料等の物品が所定の温度に冷却されるまでの時間を管理する冷蔵庫、冷却時間管理装置及び冷却時間の管理方法に関する。
【背景技術】
【０００２】
従来、飲料等は、冷蔵庫等で冷却されて、購入直後に飲用に適する温度に管理されて販売されている。容器に充填された飲料を所定の温度まで冷却するには、一定の時間がかかる。そこで、所定の温度に冷却されるまで飲料を冷蔵庫の下段にまとめて収容し、所定の温度まで冷却の完了した飲料を冷蔵庫の上段に配置することが提案されている（例えば、特許文献１参照）。
【先行技術文献】
【特許文献】
【０００３】
【特許文献１】特開２０１０−２６６１５２号公報
【発明の概要】
【発明が解決しようとする課題】
【０００４】
しかしながら、特許文献１の発明では、冷蔵庫の下段に配置された飲料の容器は取り出しにくいため、温度を確かめることも容易でなく、下段に配置された容器内の飲料が、販売に適した温度になったか否かががわかりづらいという問題があった。
【０００５】
冷却した飲料を効率的に販売するため、冷却が完了する時間が管理でき、販売に従事する者が冷却済の販売可能な飲料か否かを瞬時に理解できる冷蔵庫が望まれている。
【０００６】
本発明は、冷蔵庫の内部で冷却する物品の冷却の完了時を管理しやすい冷蔵庫を提供することを目的とする。
【課題を解決するための手段】
【０００７】
（１）  本発明の冷蔵庫は、冷蔵庫内に収容した物品を所定の温度まで冷却する冷却時間を管理できる冷蔵庫であって、前面が開放された物品収容部及び該物品収容部の前面に配置される扉を有する冷蔵庫本体と、前記物品収容部に配置されると共に、前後方向に引き出し及び押し入れ可能な収容容器と、前記収容容器の前面部の一部が奥側に凹んで形成された取手部と、前記前面部に配置され前記物品の冷却を開始した時間及び冷却の完了する時間を示す表示部と、前記収容容器の底面部の下部に挿し込み可能な板状の挿し込み部、及び該挿し込み部の端部から屈曲して延びると共に該挿し込み部を挿し込んだ状態で前記取手部の前側を覆う取手カバー部を有する取出規制部材と、を備える。
【０００８】
（２）  前記取手カバー部は、前記取手部の一部が露出するように切り欠かれたカバー部切欠きを有することが好ましい。
【０００９】
（３）  本発明の冷却時間管理装置は、冷蔵庫の内部に配置され、該冷蔵庫で冷却される物品の冷却状態を管理する冷却時間管理装置であって、前記物品を収容する収容容器と、前記収容容器の前面部の一部が奥側に凹んで形成された取手部と、前記前面部に配置され前記物品の冷却を開始した時間及び冷却の完了する時間を示す表示部と、前記収容容器の底面部の下部に挿し込み可能な板状の挿し込み部、及び該挿し込み部の端部から屈曲して延びると共に該挿し込み部を挿し込んだ状態で前記取手部の前側を覆う取手カバー部を有する取出規制部材と、を備える。
【００１０】
（４）  本発明の冷却時間の管理方法は、冷蔵庫に収容した物品を所定の温度まで冷却する時間を管理する冷却時間の管理方法であって、前記物品を、前面部の一部が奥側に凹んで形成された取手部及び前記前面部に配置され、冷却を開始した冷却開始時間及び冷却が完了する冷却完了時間を示す表示部を有する収容容器に収容する収容工程と、前記冷蔵庫の内部に形成され、前記収容容器を収容可能な物品収容部に、前記物品を収容した状態の前記収容容器を押し入れる押し入れ工程と、前記表示部を操作して、前記収容容器の前記前面部に冷却時間を開始する冷却開始時間及び冷却時間の完了する冷却完了時間を表示する表示工程と、挿し込み部及び該挿し込み部の端部から屈曲して延びる取手カバー部を有する取出規制部材を用いて、前記収容容器の底面部と前記物品収容部との間に前記挿し込み部を挿し込み、前記挿し込み部を挿し込んだ状態で、前記取手カバー部により前記取手部の前側を覆う取出規制工程と、を有する。
【発明の効果】
【００１１】
本発明によれば、冷蔵庫の内部で冷却する物品の冷却の完了時を管理しやすい冷蔵庫を提供することができる。
【図面の簡単な説明】
【００１２】
【図１】本実施形態の冷蔵庫を示す正面図である。
【図２】本実施形態の冷蔵庫を示す側面図である。
【図３】本実施形態の収容容器及び冷却時間管理装置を示す斜視図である。
【図４】本実施形態の取出規制部材を示す斜視図である。
【図５】本実施形態の容器支持トレーを示す斜視図である。
【図６】本実施形態の容器支持トレーを示す正面図である。
【図７】本実施形態の容器支持トレーを示す側面図である。
【図８】図６のＡ−Ａ線断面図である。
【図９】図６のＢ−Ｂ線断面図である。
【図１０】本実施形態の収容容器及び冷却時間管理装置の使用の状態を示す図である。
【図１１】本実施形態の容器支持トレーの変形例を示す正面図である。
【発明を実施するための形態】
【００１３】
以下、本発明の冷蔵庫１００の好ましい実施形態について、図面を参照しながら説明する。まず、本実施形態に係る冷蔵庫１００について、図１〜４を参照しながら説明する。
【００１４】
図１は、冷蔵庫１００を示す正面図である。図２は、冷蔵庫１００を示す側面図である。図３は、収容容器８０を示す斜視図である。図４は、取出規制部材を示す斜視図である。
【００１５】
冷蔵庫１００は、図１及び２に示すように、冷蔵庫本体１０１と、収容容器８０と、取手部８５と、表示部６と、取出規制部材７と、容器支持トレー１と、を有する。なお、本明細書における「冷蔵庫」とは、冷凍温度で冷却したり、飲料を過冷却したりするものも含む。
【００１６】
冷蔵庫本体１０１は、前面（一の側面）が開放された直方体の形状であり、本体部開口１１１と、物品収容部１１２と、扉１１３と、コンプレッサ１１４と、冷媒管１１５と、を有する。
本体部開口１１１は、冷蔵庫本体１０１の前面に形成される長方形の開口部である。
物品収容部１１２は、冷蔵庫により冷蔵する物品を収容する。この物品収容部１１２は、上下方向に複数段に区画されている。本実施形態では、物品収容部１１２は、上下方向に４段に区画されている。
扉１１３は、本体部開口１１１を開閉し、冷蔵庫本体１０１を密閉又は開放する厚板状の形状を有する。
コンプレッサ１１４は、冷蔵庫本体１０１の下方の奥側Ｒに配置され、熱交換を行う冷媒を圧縮するものである。
冷媒管１１５は、コンプレッサ１１４から延び、物品収容部１１２のそれぞれの上下に配置されている。冷媒管１１５では、内部に冷媒が流通する。
【００１７】
収容容器８０は、図３に示すように、上部が開口した箱型の形状を有する。収容容器８０は、物品収容部１１２に配置され、前後に引き出し及び押し入れ可能である。本実施形態では、収容容器８０は、４つに区画された物品収容部１１２のうちの上部の３段に配置される。収容容器８０は、底面部８１と、前面部としての前壁８２と、奥壁８３と、一対の側壁８４と、を有する。
前壁８２、奥壁８３及び一対の側壁８４は、底面部８１から上方に起立している。前壁８２は、収容容器８０の前面に配置され、奥壁８３は、前壁８２に対向して配置されている。一対の側壁８４は、前壁８２及び奥壁８３に略直交する方向に延びている。
【００１８】
取手部８５は、収容容器８０の前壁８２の略中央部に配置され、前壁８２の一部が奥側Ｒに向かって凹んで形成されている。
以上の収容容器８０は、前壁８２が本体部開口１１１側（前側Ｆ）に位置するように物品収容部１１２に収容される。
【００１９】
表示部６は、図１及び図３に示すように、収容容器８０の前壁８２の上方に配置されている。表示部６は、時間表示帯６１と、時間管理クリップ６２と、を有する。
【００２０】
時間表示帯６１は、収容容器８０の前壁８２に、収容容器８０の引き出し方向に略直交する方向、すなわち収容容器８０の幅方向に延びる帯状のテープである。時間表示帯６１は、上下２段に数字が表示されたテープが、前壁８２に貼付されて構成されている。具体的には、収容容器８０の幅方向に沿って、時間表示帯６１における上側に冷却を開始した冷却開始時間を示す数字が０〜２４まで表示されている。そして冷却開始時間を示す数字の下に、１２時間後の冷却が完了した冷却完了時間を示す数字が０〜２４まで表示されている。冷却開始時間と冷却完了時間は、異なる色で表示されている。
【００２１】
時間管理クリップ６２は、収容容器８０の前壁８２の上縁８２ａを挟むと共に、上縁８２ａに沿って左右に移動可能なクリップにより構成されている。時間管理クリップ６２は、前壁８２に配置される側が、中央側に縦長の貫通穴６３の形成された枠状の形状を有している。時間管理クリップ６２は、この内側の貫通穴６３に冷却開始時間と冷却完了時間が視認できるように位置合わせするように配置される。時間管理クリップ６２の貫通穴６３は縦長であるため、貫通穴６３の上側に冷却開始時間が、下側に冷却完了時間が見えるように位置合わせされる。
【００２２】
取出規制部材７は、図４に示すように、挿し込み部７１と、取手カバー部７２と、カバー部切欠き７３と、を有する。取出規制部材７は、プラスチックで形成されている。
【００２３】
挿し込み部７１は、長方形の薄い板状の形状を有し、収容容器８０の底面部８１の下部と、物品収容部１１２との間に挿し込まれる。
【００２４】
取手カバー部７２は、挿し込み部７１の端部から、挿し込み部７１の板面と略直交する方向へ屈曲して延びる板状の形状を有する。取手カバー部７２は、基端縁７２ａと、上端縁７２ｂと、一対の側縁７２ｃと、を有する。
基端縁７２ａは、挿し込み部７１の側縁に沿って延びる縁である。
上端縁７２ｂは、基端縁７２ａに対向する側で基端縁７２ａの延びる方向に沿って延びる縁である。
一対の側縁７２ｃは、基端縁７２ａ及び上端縁７２ｂに略直交する方向へ延びる縁である。
取手カバー部７２の表面には、冷蔵庫１００で冷却しているものが、まだ所定の温度に達していないことを示す表示がなされている。
【００２５】
カバー部切欠き７３は、取手カバー部７２の一対の側縁７２ｃにおける中央側が、取手カバー部７２の内側へ向かって半円状に切り欠かれて形成される。カバー部切欠き７３は、挿し込み部７１が収容容器８０の底面部８１の下部と、物品収容部１１２との間に挿し込まれた状態で、収容容器８０の取手部８５の両端が露出する程度まで、取手カバー部７２の内側へ向かって切り欠いて形成される。
【００２６】
なお、以上の収容容器８０と、取手部８５と、表示部６と、取出規制部材７と、により、冷蔵庫１００で冷却される容器９の冷却状態を管理する冷却時間管理装置８７を構成する。
【００２７】
次に、図５から図９を参照して、容器支持トレー１について説明する。
図５は、本実施形態の容器支持トレー１を示す斜視図である。図６は、容器支持トレー１を示す正面図である。図７は、容器支持トレー１を示す側面図である。図８は、図６のＡ−Ａ線断面図であり、図９は、図６のＢ−Ｂ線断面図である。
【００２８】
容器支持トレー１は、収容容器８０の内部に配置され、飲料等を充填した縦型の物品としての容器９を傾斜させた状態で保管及び陳列する台である。本明細書において、容器支持トレー１を冷蔵庫１００に収容した状態における奥側Ｒと前側Ｆを、それぞれ容器支持トレー１の奥側Ｒ及び前側Ｆと称する。
【００２９】
容器支持トレー１は、図５及び図６に示すように、トレー本体１０と、傾斜部２０と、上部支持部３０と、貫通孔４０と、起立部５０と、を有する。容器支持トレー１は、樹脂により全体が一体に形成されている。
【００３０】
トレー本体１０は、図５に示すように、所定の厚さを有し、図６に示すように、正面視で概ね四角形をしている。トレー本体１０は、切欠き１１と、下端縁１２とを有する。
切欠き１１は、トレー本体１０の前側Ｆに位置する一方の辺が内側に切り欠かれて形成される。
下端縁１２は、トレー本体１０の下端の縁であり、容器支持トレー１を置く面に接するように略水平方向に延びている。
トレー本体１０は、上面が表側となり、裏側となる底面は、開口した中空形状に形成されている。すなわち、トレー本体１０を裏返すと、表面側へ向かって窪む凹部を形成するように形成されている。
【００３１】
傾斜部２０は、トレー本体１０の上面に形成される。図７に示すように、傾斜部２０は、トレー本体１０の下端縁１２に対して１５度〜３０度の傾斜角度θで傾斜する面により構成される。傾斜部２０は、トレー本体１０に容器９を載置した状態で容器９の下端部から上端部までの距離を短くする観点から、１８度〜２５度の傾斜角度θを有することが更に好ましい。
【００３２】
傾斜部２０は、容器配置部２１と、区画部２２と、前側傾斜部２３と、奥側傾斜部２４と、を有する。傾斜部２０は、傾斜方向Ｄに沿って複数列配置されている。
容器配置部２１は、図８及び図９に示すように、容器９の形状に対応する形状に形成されており、略円筒状の飲料の容器９に対応して断面視が弧状の湾曲した曲面を有する。容器配置部２１は、複数が隣り合い、傾斜部２０の傾斜する方向に直交する方向に並んで配置されている。
区画部２２は、隣り合う容器配置部２１と容器配置部２１との間に設けられ、傾斜方向Ｄに沿って真っ直ぐに延びている。区画部２２は、隣り合う容器配置部２１同士の湾曲面におけるもっとも上端部側の間に配置されている。
【００３３】
前側傾斜部２３は、図５及び図６に示すように、トレー本体１０の前側Ｆに容器配置部２１及び区画部２２が複数配置されることで構成される。前側傾斜部２３の上端部は、トレー本体１０の上面の前縁側に位置している。前側傾斜部２３には、容器配置部２１が５本分互いに隣接して配置されている。図８に示すように、前側傾斜部２３では、区画部２２の下面において、下方に補強リブ２２ａが形成されており、前側傾斜部２３の裏側は中空の空間が形成されている。
【００３４】
奥側傾斜部２４は、図５及び図６に示すように、トレー本体１０の奥側Ｒに容器配置部２１及び区画部２２が複数配置されることで構成される。奥側傾斜部２４の下端部は、トレー本体１０の上面の奥縁側に位置している。奥側傾斜部２４には、容器配置部２１が４本分互いに隣接して配置されている。奥側傾斜部２４における容器配置部２１の数は、前側傾斜部２３における容器配置部２１の数よりも少ない。奥側傾斜部２４は、図７に示すように、容器９を前側Ｆ及び奥側Ｒに載置した際に、容器９が上下に重なるように配置され、具体的には、奥側傾斜部２４の最下端部は、前側傾斜部２３の最下端部より上方側に位置している。
【００３５】
奥側傾斜部２４では、図５及び図６に示すように、前側傾斜部２３に配置されている容器配置部２１と容器配置部２１との間で、その奥側Ｒに容器配置部２１が配置されている。すなわち、奥側傾斜部２４における容器配置部２１は、前側傾斜部２３における容器配置部２１と互い違いになるように配置されており、傾斜方向Ｄから見た状態でずれて配置されている。図９に示すように、奥側傾斜部２４では、容器配置部２１の最も下方に湾曲した下端部の裏側に、補強リブ２１ａが形成されており、奥側傾斜部２４の裏側は中空の空間が形成されている。
【００３６】
貫通孔４０は、図６に示すように、傾斜部２０における容器配置部２１の下端部に、それぞれ１つずつ形成されている。貫通孔４０は、トレー本体１０の厚さ方向に貫通して形成されている。貫通孔４０は、容器９の下端部の少なくとも一部が係合可能な大きさを有して形成される。
【００３７】
上部支持部３０は、傾斜部２０の上端部側に配置され、容器配置部２１及び区画部２２の前側Ｆにおける上端から上方に延びている。図７に示すように、上部支持部３０は、所定の角度で傾斜して延びる傾斜部２０の上端部から、上方に屈曲して延びている。
【００３８】
起立部５０は、図７に示すように、傾斜部２０の下端部に配置され、トレー本体１０の上面から上方に起立している壁状の部分である。起立部５０は、前側傾斜部２３の下端部と、奥側傾斜部２４の下端部に形成され、奥側傾斜部２４の下端部に形成される起立部５０は、トレー本体１０の奥壁を構成する。起立部５０は、容器９を容器配置部２１に配置したときに、容器９の底面の一部を支持する。
【００３９】
図１０は容器支持トレー１の使用の状態を示す斜視図である。図１０に示すように、以上の容器支持トレー１には、飲料を充填した容器９が載置される。
容器９は、５００ｍｌの飲料入りのペットボトルである。容器９は、容器本体９１と、蓋部９２と、示温シール９３と、を有する。
容器本体９１は、上部に開口を有する。
蓋部９２は、容器本体９１の開口を塞ぐものである。
示温シール９３は、容器９内の温度を示すものであり、販売に適した温度になると所定の色に変化する。示温シール９３は、容器９の高さ方向における１／２よりも下側に貼付されている。
【００４０】
次に、図１０を参照して、冷蔵庫１００の使用の状態について説明する。
図１０に示すように、容器支持トレー１は、予め収容容器８０に収容されている。トレー本体１０の切欠き１１は、収容容器８０の前壁８２から奥側Ｒに凹んで形成される取手部８５の周囲を囲むように配置されており、容器支持トレー１が収容容器８０の内部で動きにくいように構成されている。
【００４１】
まず、冷蔵庫１００の物品収容部１１２に収容された収容容器８０の取手部８５に手を入れて収容容器８０を手前に引き出す。そして、容器支持トレー１の傾斜部２０における容器配置部２１に、それぞれ飲料が充填された容器９を配置することで、容器９を収容容器８０に収容する。このとき、容器９の上端部を上部支持部３０に載置し、容器９の下端部を貫通孔４０に位置させるように配置する。容器９の下端部は、起立部５０により支持されて、容器９は安定して傾斜した状態で容器支持トレー１に支持される。また、容器９に貼付した示温シール９３が上側に向くように容器９を載置する。
【００４２】
上部支持部３０は、図７に示すように、傾斜部２０の傾斜角度θと異なる角度で上方に延びているので、上部支持部３０に容器９の上部を支持させると、容器９と傾斜部２０の上面との間に隙間Ｓが形成される（図１０参照）。この隙間Ｓにより、容器９の容器配置部２１における上面に対面している側も、冷却された空気に触れ、効率よく冷却される。
【００４３】
容器９の下端部を貫通孔４０に位置させると、容器９の下端部は、容器支持トレー１の下方に位置する収容容器８０の底面部８１に接する。したがって、容器９が、貫通孔４０を設けない場合と比べて、容器９を傾斜させた状態における下端部から上端部までの垂直方向の距離が小さくなる。また、図２に示すように、冷蔵庫１００内の物品収容部１１２と容器９の下端部との間は、貫通孔４０により、トレー本体１０の底面を介さずに収容容器８０の底面部８１のみで仕切られているため、冷却された空気がより直接的に容器９に伝わる。
【００４４】
傾斜部２０は、１５度〜３０度、好ましくは１８度〜２５度の傾斜角度θで傾斜している。このため、容器９が収容容器８０から上方へはみ出ることなく収容されている。そして、収容容器８０は、図２に示すように、冷蔵庫１００に３段収容されている。このため、容器９がより多く収容容器８０に収容されて冷却される。なお、収容容器８０の高さが低いほど、冷蔵庫１００に収容容器８０を多く配置するようにすることができ、ひいては冷却できる容器９の本数が増加する。また、傾斜部２０の傾斜角度θが上記の範囲内であるため、容器９が傾斜しても、容器９に充填された飲料が、容器９の上方の側面から離れない。このため、示温シール９３が正確に容器９内部の温度を示すことができる。
【００４５】
冷蔵庫１００には、図２に示すように、物品収容部１１２の上下に冷媒管１１５が設けられているので、収容容器８０に収容された容器９は、上側からも下側からも冷却される。トレー本体１０の裏側は、中空に形成されているため、下側で流通する冷却された空気が傾斜部２０の裏側を通じて容器９を冷却しやすい。
【００４６】
容器９は、前側傾斜部２３に５本載置され、奥側傾斜部２４に４本載置される。容器９が奥側Ｒと前側Ｆで互い違いに配置されているので、奥側Ｒと前側Ｆの容器９が重なる部分が最小限で済み、容器９の表面が冷却された空気に触れる面積が多い。また、前側Ｆに容器９を多く配置することができるため、容器９が取り出しやすい。
【００４７】
次に、図１及び２に示すように、容器９を容器支持トレー１の上に配置した後、収容容器８０を冷蔵庫１００の物品収容部１１２へ押し入れる。そして、表示部６を操作する。具体的には、収容容器８０の上縁８２ａに配置されている時間管理クリップ６２をつまみ、時間表示帯６１の上段側に表示されている数字を見て、冷却を開始した時間を表す数字が時間管理クリップ６２の貫通穴６３から見えるように位置を合わせる。時間管理クリップ６２を冷却開始時間が見えるように位置合わせすることで、自動的に冷却開始時間の下段に表示されている、冷却開始時間から１２時間後の冷却完了時間が表示される。
【００４８】
収容容器８０を物品収容部１１２に押し入れた後、図１０に示すように、取出規制部材７の挿し込み部７１を、収容容器８０の底面部８１と物品収容部１１２との間に挿し込む。すると、挿し込み部７１から略直交する方向へ延びる取手カバー部７２が、収容容器８０の取手部８５の表面を覆う。取手部８５が取手カバー部７２により覆われるので、収容容器８０に収容した飲料入りの容器９の取り出しが規制される。
【００４９】
冷却完了時間になると、飲料が販売に適した温度になる。そこで、取手カバー部７２の両端に形成されたカバー部切欠き７３に指を入れ、取手カバー部７２の裏側から指で押し出すようにして取出規制部材７を外す。このように取り出すと、取出規制部材７に偏った力がかかりにくく、破損しにくい。
【００５０】
収容容器８０を引き出すと、容器９の表面に表示されている示温シール９３の色を見ることで、飲料が販売可能な温度であることを確認できる。
【００５１】
以上説明した本実施形態の容器支持トレー１によれば、以下のような効果を奏する。
【００５２】
（１）  冷蔵庫１００を、冷蔵庫本体１０１と、冷蔵庫本体１０１の物品収容部１１２に引き出し及び押し入れ可能な収容容器８０と、収容容器８０の前面の一部が奥側Ｒに凹んで形成された取手部８５と、を含んで構成した。また、冷蔵庫１００を、収容容器８０の前壁８２に配置され容器９の冷却を開始した時間及び冷却の完了する時間を示す表示部６と、収容容器８０の底面部８１の下部に挿し込み可能な板状の挿し込み部７１、及び該挿し込み部７１の端部から屈曲して延びると共に該挿し込み部７１を挿し込んだ状態で取手部８５の前側Ｆを覆う取手カバー部７２を有する取出規制部材７と、を含んで構成した。
これにより、表示部６で冷却を開始した時間と冷却が完了する時間が表示されると共に、取手部８５が取手カバー部７２により覆われるため、冷却時間が完了していないことが明確に外部から視認できる。したがって、冷蔵庫１００内部で冷却している飲料が充填された容器９の冷却の完了時の管理がしやすい。
【００５３】
（２）  取手カバー部７２に、取手部８５の一方及び他方の端部における一部が露出するように切欠いて形成されるカバー部切欠き７３を形成した。カバー部切欠き７３に指を挿入して取手カバー部７２の裏側から押すようにすることで、取手カバー部７２を容易に取り外すことができる。また、取手カバー部７２の両端から力をかけることで、取り外すための力が偏りにくく、取手カバー部７２がプラスチック等で形成されていても、破損しにくい。
【００５４】
以上、本発明の好ましい各実施形態について説明したが、本発明は、上述した各実施形態に制限されるものではなく、適宜変更が可能である。
例えば、上記の実施形態では、容器支持トレー１の容器配置部２１は、前側傾斜部２３に、奥側傾斜部２４よりも多く配置されているが、これに限られない。図１１に示すように、容器配置部２１Ａは、奥側傾斜部２４Ａに、前側傾斜部２３Ａよりも多く配置されていてもよい。冷蔵庫１００の奥側Ｒは、冷蔵庫本体１０１の本体部開口１１１から遠く、冷蔵庫１００の内壁面により囲まれているので、冷却空気が逃げにくい。このため、奥側傾斜部２４Ａに容器配置部２１Ａを多くすると、多くの容器９を所定の温度までより早く冷却することができる。
【００５５】
また、上記の実施形態では、カバー部切欠き７３は、取手カバー部７２の幅方向における両端に略半円形に形成されているが、これに限られない。カバー部切欠きは、取手カバー部の取り外しを容易にするものであれば、取手カバー部に形成される穴であってもよい。また、カバー部切欠きは、取手カバー部における取り外しの力が偏らない位置に１つだけ形成されていてもよく、２つ以上形成されていてもよい。
【００５６】
また、上記の実施形態では、容器９は５００ｍｌ入りのペットボトルが用いられているが、これに限られない。容器の容量及び素材は、販売される飲料に応じて適宜変更されてよい。
また、上記の実施形態では表示部６は、時間表示帯６１と、時間管理クリップ６２と、により構成されているが、これに限られない。冷却開始時間と冷却完了時間が表示可能であればよく、時計やタイマーによる表示であってもよい。
また、上記の実施形態では、取手カバー部７２は略四角形の板状の形状をしているが、これに限られない。販売する物品の形状をする等、形状は特に限定されない。
また、上記の実施形態では、収容容器８０は、上部が開放された形状をしているが、これに限られない。蓋が上部に配置されたものであってもよい。
【符号の説明】
【００５７】
６        表示部
７        取出規制部材
９        容器（物品）
７１      挿し込み部
７２      取手カバー部
７３      カバー部切欠き
８０      収容容器
８２      前壁（前面部）
８５      取手部
１００    冷蔵庫
１０１    冷蔵庫本体
１１２    物品収容部
１１３    扉
【図１】
2015222160.tif 000003
【図２】
2015222160.tif 000004
【図３】
2015222160.tif 000005
【図４】
2015222160.tif 000006
【図５】
2015222160.tif 000007
【図６】
2015222160.tif 000008
【図７】
2015222160.tif 000009
【図８】
2015222160.tif 000010
【図９】
2015222160.tif 000011
【図１０】
2015222160.tif 000012
【図１１】
2015222160.tif 000013